Podtech/llm-jp-corpus-v4-ja_patent huggingface dataset:
(57)【要約】【課題】密閉容器内に封入されているオイルの流動過程で、密閉容器外部へのオイル流動を遮り、密閉容器外部へのオイル吐出量を低減することが出来る密閉型圧縮機を提供する。【解決手段】  密閉容器内１に電動要素２と圧縮要素３とを備えて成る、密閉型圧縮機において、中心部を中空としたドーナツ状の形状をした遮蔽メッシュ板１１を、前記密閉容器１内の上部、電動要素２の上方に設け、遮蔽板１１の中空部径Ａ寸法と回転子外径Ｂ寸法の関係をＡ＜Ｂとし形成したことにより、密閉容器１内に封入されているオイルの流動過程で、密閉容器１外部へ吐出しようとするオイル流動経路を遮り、密閉容器１外部へのオイル吐出量を低減することが出来る。【選択図】図１
2008291659.tif 000002
【特許請求の範囲】
【請求項１】
密閉容器内に電動要素と圧縮要素とを備えて成る、密閉型圧縮機  において、中心部を中空としたドーナツ状の形状をした遮蔽メッシュ板を、前記密閉容器内の上部、電動要素の上方に設け、遮蔽板の中空部径Ａ寸法と回転子外径Ｂ寸法の関係をＡ＜Ｂとしたことを特徴とする密閉型圧縮機。
【発明の詳細な説明】
【技術分野】
【０００１】
本発明は、密閉容器内に電動要素と圧縮要素とを備えてなる、密閉型圧縮機の構造に係り、特に密閉容器内の冷媒ガスを密閉容器外へ吐出するために設けられた、吐出構造に関するものである。
【背景技術】
【０００２】
従来の密閉型圧縮機としては、例えば特許文献１に示されたものがあった。特許文献１に示されるように密閉容器内の上部に電動要素を、下部に圧縮要素を配置しており、電動要素は圧縮要素を構成する回転軸に連結され回転する回転子と、この回転子を回転させる密閉容器の内周面に固定された固定子とで構成される。圧縮要素には、環状で中空のシリンダと、このシリンダの上下端面を挟み込んで閉塞すると共に、回転軸を支承する上軸受、中間仕切板、下軸受とが配置され、閉塞されたシリンダ内には回転軸の一部でもある偏心軸に係合するローラが設けられ、電動要素の回転子からの駆動によりシリンダ内を偏心して回転し、冷媒が圧縮される構造となっている。
【０００３】
また密閉容器内の底部にはオイル溜められており、回転軸の下端に取り付けられたオイルポンプ（給油手段）により密閉容器内の底部に溜められたオイルを吸い上げ、圧縮要素の摺動部に供給され潤滑とシールをしている。一方、圧縮要素より圧縮され吐出された冷媒は、回転子と固定子の隙間および固定子の外周に設けられた密閉容器内壁との隙間を形成する切欠を通って密閉容器の上部に設けられた吐出管から外部に吐出される。
【特許文献１】特開平５−９９１７２号公報
【発明の開示】
【発明が解決しようとする課題】
【０００４】
しかしながら、前記従来の密閉型圧縮機では、圧縮要素で圧縮された冷媒ガス中にオイルが溶け込んでおり、冷媒ガスと共に当該オイルも回転子と固定子の隙間および固定子の外周に設けられた密閉容器内壁との隙間を形成する切欠を通って、オイルが分離されることなく、密閉容器の上部に設けられた吐出管から外部に吐出されてしまい、オイル吐出量が増加してしまうという問題があった。
【課題を解決するための手段】
【０００５】
前記従来の課題を解決する為に、本発明の密閉型圧縮機は、密閉容器内に電動要素と圧縮要素とを備えて成る、密閉型圧縮機において、中心部を中空としたドーナツ状の形状をした遮蔽メッシュ板を、前記密閉容器の上部、電動要素の上方に設け、遮蔽板の中空部径Ａ寸法と回転子外径Ｂ寸法の関係をＡ＜Ｂに形成したものである。
【発明の効果】
【０００６】
本発明の密閉型圧縮機は、前記構成を有し、冷媒ガスを密閉容器に設けられた吐出管から吐出する際に、ドーナツ状の形状をした遮蔽メッシュ板により、冷媒ガス中に含まれるオイルを分離し、冷媒ガスのみを密閉容器から吐出させることで、オイル吐出量の低減が図れる。
【発明を実施するための最良の形態】
【０００７】
以下、本発明の実施の形態について、図面を参照しながら説明する。
【０００８】
（実施の形態１）
図１は、本発明の実施の形態１における密閉型圧縮機の縦断面図、図２は、本発明の実施の形態１における遮蔽メッシュ板１１のみを密閉型圧縮機上方から見た図である。
【０００９】
図１、図２に示すように、密閉容器１内の上部に電動要素２を、下部に圧縮要素３を配置しており、電動要素２は圧縮要素３を構成する回転軸４に連結され回転する回転子２ａと、この回転子２ａを回転させる密閉容器１の内周面に固定された固定子２ｂとで構成される。圧縮要素３には、環状で中空のシリンダ５と、このシリンダ５の上下端面を挟み込んで閉塞すると共に、回転軸４を支承する上軸受６、下軸受７とが配置され、閉塞されたシリンダ５内には回転軸４の一部でもある偏心軸４ａに係合するローラ８が設けられ、電動要素２の回転子２ａからの駆動によりシリンダ５内を偏心して回転し、冷媒が圧縮される構造となっている。
【００１０】
また密閉容器１内の底部にはオイル９溜められており、回転軸４の下端に取り付けられたオイルポンプ（給油手段）により密閉容器１内の底部に溜められたオイル９を吸い上げ、圧縮要素３の摺動部に供給され潤滑とシールをしている。一方、電動要素２には、圧縮要素３より圧縮され吐出された冷媒を、密閉容器１から外部へ吐出させるために設けられた吐出管１０まで導く、回転子２ａと固定子２ｂの隙間２ｃおよび固定子２ｂの外周に設けられた密閉容器１内壁との隙間を形成する切欠２ｄの通路を備え、密閉容器１内の上部、電動要素２の上方には中心部を中空としたドーナツ状の形状をした遮蔽メッシュ板１１を設け、遮蔽メッシュ板１１は中空部径Ａ寸法と回転子外径Ｂ寸法の関係をＡ＜Ｂとして構成している。
【００１１】
かかる構成によれば、冷媒ガスが密閉容器１に設けられた吐出管１０から吐出する際に、回転子２ａと固定子２ｂの隙間２ｃおよび固定子２ｂの外周に設けられた密閉容器１内壁との隙間を形成する切欠２ｄの２通路を通り、２通路を通った冷媒ガス共にドーナツ状の形状をした遮蔽メッシュ板１１にぶつけることができ、冷媒ガス中に含まれる粘性の高いオイル９のみ遮蔽メッシュ板１１に付着するかたちで分離され、冷媒ガスのみが密閉容器１から吐出されることで、オイル吐出量の低減効果を得ることができる。また遮蔽メッシュ板１１が単なる板状でなく、メッシュ状になっているため、冷媒ガスの流路抵抗の増加も抑えることができる。
【００１２】
なお前記、実施の形態の図１の遮蔽板１１の中空部の形状は円形のタイプのものであるが、これに限定されるものではなく、多角形状の形状においても同様な作用効果を得ることができる。
【産業上の利用可能性】
【００１３】
本発明の密閉型圧縮機は、圧縮形態に関わらず、あらゆる密閉型圧縮機に適応が可能である。
【図面の簡単な説明】
【００１４】
【図１】本発明の実施の形態１における密閉型圧縮機の縦断面図
【図２】本発明の実施の形態１における遮蔽メッシュ板を示す図
【符号の説明】
【００１５】
１    密閉容器  
２    電動要素
２ａ  回転子
２ｂ  固定子
２ｃ  隙間欠
２ｄ  切欠
３    圧縮要素
４    回転軸
４ａ  偏心軸  
５    シリンダ
６    上軸受
７    下軸受
８    ローラ
９    オイル
１０  吐出管
１１  遮蔽メッシュ板
【図１】
2008291659.tif 000003
【図２】
2008291659.tif 000004
(57)【要約】【課題】      型枠の面木固定において、面木を損傷することなく、簡易に能率よく固定作業ができ、良好なコンクリート仕上げ面が施工できる補助具を提供する。【解決手段】  補助具本体１は、本体底部の両側に切欠き（大）２と切欠き（小）３を設け、補助具本体側面に針打ち器を固定する止めねじ４から構成されている。【選択図】図１
2008291625.tif 000002
【特許請求の範囲】
【請求項１】
針打器を用いて面木を固定することを特徴とする面木止用針打器補助具。
【請求項２】
針打器の大きさに合わせて、調整ねじを用いて針打器に締め付け固定できることを特徴とする請求項１記載の面木止用針打器補助具
【発明の詳細な説明】
【技術分野】
【０００１】      本発明は、型枠の面木固定に関し、針打ち器を用いて面木を固定するための補助具に関するものである。
【背景技術】
【０００２】      従来、面木固定は面木傾斜面に釘を打ち込み固定を行っているが、片方の手に釘を持ちながら面木を設定位置に押えつけ、他方の手に金槌を持ちながら釘を打ち付ける面倒で複雑な方法で行われており、作業に熟練を必要とする。
【発明の開示】
【発明が解決しようとする課題】
【０００３】      従来の方法では、細幅の面木面に釘を打ち込むため、細心の注意を払いなが行うため作業に長時間を要する。【０００４】      また、釘を打ち込むとき、わずかな手振れで面木を打ちつけ破損、損傷を起こすため作業に熟練が必要であり、面木を破損や損傷した場合の面木の取替えによる経済的、時間的損失が生じる。【０００５】      型枠を外した時にコンクリート面に釘の頭部の形状が転写され痕跡として残るため、仕上がりの美観を損なう問題から釘を面木の長手方向に対して一直線上に打ち込む必要がある。
【課題を解決するための手段】
【０００６】      上記課題を解決するために、本発明の第１の発明では、釘の替わりに面木を支持する補助具を装着した針打器を用いて型枠に針で面木を固定する面木止用針打器補助具を提供するものである。【０００７】      第１の発明を主体とする第２の発明では、補助具を用いることにより作業者は熟練を必要とせず、面木の長手方向に対して針を一直線上に打ち込むことができ、釘の頭部のように大きな痕がコンクリート面に残らず、脱枠後の仕上がりが美しく良好な仕上げ面ができる補助的機能を備え上記課題を解決したものである。
【発明の効果】
【０００８】      本発明によれば、金槌で釘打ちする面木固定の替わりに針打器を用いて針による面木固定を行うため面木を破損、損傷することがなく型枠に簡易に固定できる。作業者は熟練を必要とせず、作業能率がよく作業時間の短縮が図れる。【０００９】      また補助具を用いて針打ちを行うため、面木の長手方向に対して針を一直線に打ち込むことができ、針の背部が面木表面から吐出しないため脱枠後のコンクリート面は良好な仕上がりで施工できる。
【実施例】
【００１０】      本発明の面木止用針打器補助具は、図１に示すように、補助具本体１は、本体底部の両側に切欠き（大）２と切欠き（小）３を設け、補助具本体側面から針打器を止めねじ４で固定する構造である。【００１１】      図２は、補助具本体１の展開図である。図３は、面木止用針打器補助具を用いて面木を固定する状態の概要図である。面木５、補助具本体１、針打器６の関係を示す。面木５を型枠の設定位置におき、針打器６に止めねじ４で装着した補助具本体１の切欠き部２で面木を押え針を打ち込む状態を示したものである。
【産業上の利用可能性】
【００１４】      土木、建築関係の面木固定作業において、広く利用できる。
【図面の簡単な説明】
【図１】  本発明に係る面木止用針打器補助具の概観図である。
【図２】  補助具本体の正面図、平面図及び側面図である。
【図３】  面木、針打器、面木止用針打器補助具の関係概要図である。
【符号の説明】
１      補助具本体
２      切欠き部（大）
３      切欠き部（小）
４      止めねじ
５      面木
６      針打器
【図１】
2008291625.tif 000003
【図２】
2008291625.tif 000004
【図３】
2008291625.tif 000005
(57)【要約】【課題】  便器の先端部が半球形の空洞になっているため、成人並みの体格をした男子が座位で排尿する場合でも、便器外への尿の飛散防止を提供できる。【解決手段】  便器の先端部に半球形の空洞を設けたことを特徴とする。【選択図】図３
2008291627.tif 000002
【特許請求の範囲】
【請求項１】
便器の先端部に半球形の空洞を設けた洋式トイレ
【発明の詳細な説明】
【技術分野】
【０００１】  この発明は、便器の先端部に半球形の空洞を設けることで尿の飛散防止を可能にした洋式トイレに関するものである。
【背景技術】
【０００２】  従来の形状の洋式トイレでは、成人並みの体格をした男子が座位で排尿する場合、便器外への尿の飛散がよくあった。
【発明の開示】
【発明が解決しようとする課題】
【０００３】  従来の形状の洋式トイレでは、成人並みの体格をした男子が座位で排尿する場合、便器外への尿の飛散を防止できなかった。本発明は以上のような欠点をなくすためになされたものである。
【課題を解決するための手段】
【０００４】  便器の先端部に半球形の空洞を設けた。
本発明は、以上の形状よりなる尿飛散防止洋式トイレである。
【発明の効果】
【０００５】  便器の先端部が半球形の空洞になっているため、成人並みの体格をした男子が座位で排尿する場合でも、便器外への尿の飛散を防止できる。
【発明を実施するための最良の形態】
【０００６】  以下、本発明を実施するための最良の形態について説明する。
便器の先端部に半球形の空洞を設ける。
本発明は、以上のような構造である。
この半球形の空洞により、成人並みの体格をした男子が座位で排尿する場合でも、便器外への尿の飛散を防止できる。
【図面の簡単な説明】
【０００７】
【図１】  本発明の斜視図である。
【図２】  本発明の正面図である。
【図３】  本発明の側面図である。
【図４】  本発明の上面図である。
【符号の説明】
【０００８】１  便器先端部
２  便器本体
【図１】
2008291627.tif 000003
【図２】
2008291627.tif 000004
【図３】
2008291627.tif 000005
【図４】
2008291627.tif 000006
(57)【要約】      （修正有）【課題】簡単な作業手法で尚且つ施工漏れ無く、石綿施工部の石綿に飛散防止処理を施す。【解決手段】発煙装置１の煙突２を天井空間５に配管します。発煙装置１で発煙素材３を燻します。発生した煙は天井空間５に送られます。煙の性質は密閉された空間内で小さな隙間にも浸透して広がります。すなわち、煙が石綿に浸透し、アスベストにタールが付着して、飛散しない状態になります。従来の凝固剤を吹付けるアスベスト飛散防止の施工は数多くの天井の開口と大掛かりな密閉された作業スペースが必要になります。本発明は天井板７に対し、石綿のサンプル採取用の開口サイズがあれば充分に煙突２が配管出来ます。本発明は、従来の凝固剤を吹付ける手法と比較して、吹付け洩れが無く、人が石綿に近づかないで飛散防止処理を施せます。【選択図】図１
2008291622.tif 000002
【特許請求の範囲】
【請求項１】
吹付け処理の石綿施工におけるアスベストの飛散防止処理において、石綿施工部に対し煙もしくは蒸気が行き渡る様に処置を施し、石綿施工部に煙もしくは蒸気を充満させて、その成分に含まれる付着する成分が空気中に浮遊しなくなった時にアスベストに付着させて飛散防止化するアスベストの処理法。または、石綿飛散防止処理用の発煙装置もしくは蒸気発生装置。  本請求項はアスベストに付着して飛散しにくくなる成分は特定しないものであります。また、本請求項前記の「煙もしくは蒸気が行き渡る様に処置」とは発煙装置もしくは蒸気発生装置や煙突を取り付ける処置や石綿施工部を囲い込む処置を示します。また、本請求項の発煙装置に必要とされる機能としての一酸化炭素の検出、警報、安全の為の制動機能や、発煙素材の発火の検出、警報、安全の為の制動などの機能が付加される事も含みます。
【発明の詳細な説明】
【技術分野】
【０００１】  本発明はアスベストの飛散防止処理に関するものであります。
【背景技術】
【０００２】  従来のアスベストの飛散防止処理は、石綿施工されている箇所と石綿除去作業スペースの密閉室構築の作業工程が大掛かりになります。
【発明の開示】
【発明が解決しようとする課題】
【０００３】  アスベストの飛散防止処理の作業工程の簡易化。  施工漏れの無い飛散防止処理。  アスベスト飛散の可能性のある場所に人が近づかない飛散防止処理作業。
【課題を解決する為の手段】
【０００４】  一般的に吹付け処理の石綿は天井の中や壁の中など密封に近い空間に施工されているケースが多く在ります。このケースで天井に吹付け処理の石綿施工がされている場合において、従来の凝固剤を噴きつけるアスベスト飛散防止対策では石綿施工場所の近くの数多くの天井板を外さなければ凝固剤を満遍なく噴きつける作業が出来ませんでした。すなわち天井板を多く外す事でアスベストの飛散の可能性があり、飛散の範囲を限定する為に施工する作業スペースをビニール等で密閉室を構築する必要がありました。本稿上記のケースに有効である手法として、図１の様に、発煙装置（１）の煙突（２）を天井空間（５）に配管します。発煙装置（１）内で発煙素材（３）をヒーター（４）により燻しますと、発生した煙は煙突（２）を経由して吹付け処理の石綿施工部（６）の天井空間（５）の隅々まで行き渡り充満します。煙の性質は密閉された空間内で小さな隙間にも浸透して広がり、一定時間浮遊した後に周りの物質に付着して定着します。すなわち、煙が石綿の隙間に浸透しアスベストにタールが付着して飛散しない状態になります。  本発明は天井板（７）に対して、石綿のサンプル採取用の開口穴のサイズがあれば充分に煙突（２）が配管出来ます。  石綿施工部が壁の中であっても、本項上記の手法を応用してアスベストの飛散防止処理を施す事が出来ます。  発煙装置（１）の作動中は天井空間（５）の空気圧が多少高くなる事で天井空間（５）が換気される事については微流量のＨＥＰＡフィルター付の排気装置で圧力調整する事により解決出来ます。  発煙装置（１）において、吸気口（８）がないと一酸化炭素の発生が多くなります。  発煙素材（３）において、線香の様に着火すると発火せずに発煙を続ける素材の場合はヒーター（４）が不用になります。  発煙素材（３）が蒸気発生素材の場合は、煙ではなく蒸気が天井空間（５）に浮遊してアスベストに付着して飛散防止化する事になります。例として挙げられる素材として粘性の強い油や常温で凝固する油があります。気化している油は発火するので二酸化炭素中で蒸発させるなどの発火しない条件を作る必要があります。  石綿施工部（６）が天井板（７）の無い剥き出しの状態であっても石綿施工部（６）をビニール等で密閉する事で本発明の手法により、作業者は石綿施工部（６）に近づく事なくアスベストに飛散防止処理を施す手法が可能になります。この様に石綿施工部（６）の施工場所が違う場合においても、本発明の手法を応用する事で飛散防止処理が可能になります。
【発明を実施するための最良の形態】
【０００５】  発煙装置（１）内に発煙素材（３）が配置され、ヒーター（４）の上部に発煙装置（１）が配置されます。発煙装置（１）から煙突（２）が石綿施工部の天井空間（５）に配管されます。
【発明の効果】
【０００６】  本発明はアスベスト処理の施工者がアスベスト飛散の可能性のある場所に近づく事無くアスベストに飛散防止処理を施す事が出来ます。石綿に近づかない作業法の為に作業者が不用意に石綿を飛散させる可能性が少なくなります。従来の凝固剤を吹付けて飛散防止処理を施す手法と比較して、処理漏れの箇所が発生しにくい飛散防止処理を施す事が出来ます。  本発明は石綿撤去作業においても下処理としての応用性があります。
【図面の簡単な説明】
【０００７】
【図１】吹付け処理の石綿施工がされている密閉状態の天井空間に対し、発煙装置により飛散防止処理を施す装置の構成図。
【符号の説明】
【０００８】１  、発煙装置（もしくは蒸気発生装置）２  、煙突３  、発煙素材（もしくは蒸気発生素材）４  、ヒーター５  、天井空間６  、石綿施工部７  、天井板８  、吸気口
【図１】
2008291622.tif 000003
(57)【要約】【課題】  液冷式冷却装置は冷却効率は高いのだが、部品点数の多さや、漏液の可能性があり、あまり普及していなかった。多く普及している空冷装置は、簡単なヒートシンクと冷却ファンのみで構成できるため、効率が落ちるにも関わらず利用されている。液冷装置を小型化、簡素化することが強く要求されていた。【解決手段】  空冷並に簡単に扱えるようにするため、吸熱部分、ラジェーター、流路、液体循環ポンプ、冷却ファン、温度センサー、制御回路などを一体化し、電子冷却やコンピュータチップなどと一体化した液冷装置を考案した。電源を接続するだけで簡単に使えるようになった。【選択図】  図１
2008047656.tif 000002
【特許請求の範囲】
【請求項１】
吸熱部分、ラジェーター、流路、液体循環ポンプ、冷却ファン、温度センサー、制御回路などを一体化し、電子冷却やコンピュータチップなどと一体にできる液冷装置。
【発明の詳細な説明】
【技術分野】
【０００１】
本発明は電子部品等の冷却に関するものである。
【背景技術】
【０００２】
半導体素子等の動作速度を上げていくと、必ず発熱がおこり、そのため効率のよい冷却装置が求められている。
【発明の開示】
【発明が解決しようとする課題】
【０００３】
従来電子冷却やコンピュータチップの液冷装置は、吸熱部分、ラジェーター、液体循環ポンプなどが分離して設置してあり、その間をチューブなどで接続するようになっていた。その場合、設置に場所をとったり、チューブを引き回す必要があり、漏液などの原因にもなって、空冷に比べて冷却効果が高いにもかかわらず、普及が進んでいなかった。
【課題を解決するための手段】
【０００４】
そこで、吸熱部分とラジェーター、流路、液体循環ポンプ、冷却ファン等を一体化し、小型化すると同時に配管等を不要にし、設置も簡単にできるようにした。また、温度センサー、制御回路なども一体化し、電源をつなぐだけで使えるように改良した。また、液の流れや吸熱部分を効果的に改良し、液冷効果も高めた。
構造的には吸熱部分（１）、ラジェータ式放熱器（２）、液体循環用ポンプ（３）、ポンプ駆動回路（４）などで構成され、流路は完全に密閉されており、ポンプの駆動はマグネットとコイルを利用して外部からおこなう。真ん中の流路から暖められた流体がポンプによって吸い出され、外側の流路を通って循環する構造になっている。流体から熱が放熱フィン（６）に伝わり、冷却ファンによる放熱効果で効果的に冷却することができる。
【発明の効果】
【０００５】
その結果、設置が簡単になり、場所もとらずチューブなども不要になるなど、従来の欠点が克服できた。また、温度センサーなども一体化できるため、制御も簡単にでき、空冷装置の簡単さで、効果の高い液冷式を利用できるようになった。また、チューブ等との接続箇所がないため、チューブなどからの漏液の可能性もなくなった。
【産業上の利用可能性】
【０００６】
今後とも、半導体製品が高速度、高密度化していく中で、高効率、小型化された冷却装置は必須であり、扱いやすい液例装置の需要は高まる物と思われる。そのためにも、扱いやすさは重要な要素と言える。
【図面の簡単な説明】
【０００７】
【図１】全体の構成図である。
【符号の説明】
【０００８】
１  冷却用吸熱板
２  放熱用ラジェータ
３  液体循環用ポンプ
４  液体循環用ポンプ駆動回路および制御回路
５  吸熱用突起
６  放熱用フィン
７  回転用マグネット
【図１】
2008047656.tif 000003
(57)【要約】【課題】検索結果を上位表示するには、被リンクを増やすことでサイトの有用性を高める必要がある。そこでサーチエンジン情報収集をロボットで行い。ユーザー入力の情報とを関連付けて、自動的に一括登録を行う。サーチエンジンへの一括登録は、各サーチエンジンごとにことなった情報入力を必要とされているのでユーザー情報との関連付けが難しく手入力をする必要があり、一度に多くのサーチエンジンへの登録が困難である。【解決手段】本システムは、それを解決すべくサーチエンジンを探し出しＤＢ「とうろくん」に収集する時点で送信先ＵＲＬ、パラメータ等も併せて収集することでその問題を解決している。この問題を解決できたことで一度に多くのサーチエンジンへの登録が可能になり、検索結果を上位表示させることが可能となった。【選択図】    なし【特許請求の範囲】
【請求項１】
本発明サーチエンジン一括登録システム「とうろくん」は、サーチエンジン情報収集、ユーザー情報管理、登録作業実行の３系統に分類される。また、利用形態は、ブログパーツとしての利用と運営元管理による利用がある。サイトを登録可能なサーチエンジンをインターネット上から収集サーチエンジンＤＢに蓄積する。そして、サーチエンジンごとの登録に必要な情報とユーザー入力の情報とを関連付けて、自動的に一括登録を行うことが可能なシステムである。
【発明の詳細な説明】
【技術分野】
【０００１】
本発明は、プログラム言語は、「ＰＨＰ  ５．１．４」を使用。サーチエンジン情報収集：インターネット上のウェブサイト群から、サイトを登録可能なサーチエンジンを探し出し、サーチエンジン情報ＤＢに蓄積する。このとき、登録作業に必要な情報（送信先ＵＲＬ、パラメータ等）も併せて収集し、同様に蓄積する。ユーザー情報管理：ユーザー情報として取り扱うのは、「とうろくん」サービス利用者の名前、メールアドレス、サイト名、サイト紹介文、希望カテゴリ（予め用意されたものから選択）、検索キーワード、一度の登録作業における登録先サーチエンジン数（１，０００単位、最大数に制限はない）である。なお、ブログパーツとして利用する場合は、登録先サーチエンジン数は、１〜３件である。登録作業実行：サーチエンジンへの登録作業は、運営元管理で任意に実行、停止をおこなうことができる。登録作業の管理は、ユーザ単位で行う。（ユーザーごとに登録作業開始、停止、再開を指定、実行。）ブログパーツ利用では、ブログパーツ(ＦＬＡＳＨ)上の「開始」ボタンによって登録作業を開始、１日に上限サイト数まで登録作業を行う。登録作業中は、ブログパーツ上に「停止」ボタンが表示され、それを押下することで登録作業を停止する。その時点で登録したサイト数が、１日の上限サイト数に満たなければ、登録作業を継続して行うことができる。また、登録作業を停止した際あるいは登録作業が終了した際、ブログパーツ上に登録を行った先のサイトＵＲＬが表示される。いずれの利用形態においてもこれまでに登録したサーチエンジンのＵＲＬ一覧をＣＳＶ形式で取得できる。（ブログパーツ利用者の場合は、ブログパーツユーザーの管理画面にてダウンロードを行わせる。）
【背景技術】
【０００２】
インターネットにおけるサーチエンジンにおいては、検索結果を上位表示するには、被リンクを増やすことでサイトの有用性を高める必要がある。そこでサーチエンジンの情報収集を行い、インターネットサイトに他のインターネットサイト特に、リンク数の多い、サーチエンジンサイトリンクをつけることがインターネットサイトの有用性を高める手段として求められている。
【発明の開示】
【発明が解決しようとする課題】
【０００３】
しかしながら、従来技術にあっては、サーチエンジン一括登録システムでは、サーチエンジン毎の異なった情報登録を必要とするため、ユーザー情報に関連付けることが大変難しく手入力する必要がある。そのため、一度に多くのサーチエンジンへの登録が困難である。手入力で時間がかかってしまうことから人件費などのコストの増大を余儀なくされ登録件数あたりの費用が高額になる傾向がある。
【０００４】
本発明の目的は、検索結果を上位表示させて、ユーザーの目に留まる機会を増やし他社より優位性を確立するためのサーチエンジンサイトにリンクをつけることを自動で行う。
【課題を解決するための手段】
【０００５】
上記課題を解決するために本発明は、ロボットによるサーチエンジンの調査時に登録作業に必要となる項目を抜き出すと共に、抜き出した項目がどのユーザー入力情報にあてはまるかをロボットに判断させ、ユーザー入力情報の項目名に関連付けてＤＢに蓄積する。
【発明の効果】
【０００６】
従来のサーチエンジン一括登録システムでは、サーチエンジン毎の異なった情報登録を必要とするため、ユーザー情報に関連付けることが大変難しく手入力する必要がある。そのため、一度に多くのサーチエンジンへの登録が困難である。手入力で時間がかかってしまうことから人件費などのコストの増大を余儀なくされ登録件数あたりの費用が高額になる傾向がある。弊社調査では、従来の手入力では１件あたり５分かかり、A社などの手入力の場合でも、３０秒から１分を要す。しかしながら弊社の本システムでは、自動で登録することが可能で１件の登録時間は５秒以内である。
【発明を実施するための最良の形態】
【０００７】
インターネット環境のあるパソコンを保有していており、サイトの有用性（価値・ページランク）を上げたいとおもっているサイトを運営している。
【実施例１】
【０００８】
検索結果を上位表示するには、被リンクを増やすことでサイトの有用性を高める必要がある。そこでサーチエンジン情報収集をロボットで行い。ユーザー入力の情報とを関連付けて、自動的に一括登録を行う。サーチエンジンへの一括登録は、各サーチエンジンごとにことなった情報入力を必要とされているのでユーザー情報との関連付けが難しく手入力をする必要があり、一度に多くのサーチエンジンへの登録が困難であった。本システムは、それを解決すべくサーチエンジンを探し出しＤＢ「とうろくん」に収集する時点で送信先ＵＲＬ、パラメータ等も併せて収集することでその問題を解決している。この問題を解決できたことで一度に多くのサーチエンジンへの登録が可能になり、検索結果を上位表示させることが可能となった。そのため、ネットショッピングサイト運営者など、検索結果を上位に表示させたい企業、商店主に需要があると考える。
ユーザーが「とうろくん」のサイトで会員登録を行う。ユーザーのサイト名・URL、メールアドレス、希望カテゴリ、登録希望件数を登録する。これら、顧客情報の受け取りを行い、サーチエンジン登録作業を行う。
【図面の簡単な説明】
【０００９】
【図１】サーチエンジン一括登録システム「とうろくん」フローチャートである。
【図２】ディレクトリ構成図である。
【図１】
2008047001.tif 000002
【図２】
2008047001.tif 000003
(57)【要約】【解決課題】  従来の二次元バー・コードでは、表示が不可能であった情報量を表示可能にすること。【解決手段】  白と黒で表示していた二次元バー・コードを、三原色を用いて表示することにより、多層化し、同一面積での情報量を、飛躍的に向上させることを可能にした。【選択図】図３
2008047081.tif 000002
【特許請求の範囲】
【請求項１】
三原色（顔料・インキ等並びに光線）により、情報を記録した、多層二次元バー・コード
【発明の詳細な説明】
【発明の詳細な説明】
【技術分野】
【０００１】  本発明は、バー・コードと呼ばれる、自動認識符号である。
【背景技術】
【０００２】  従来は、縞模様の線の太さや間隔の大小によって情報を表示したり、正方形の平面の中に、微細な白と黒の正方形の配置によって情報を表示した、いわゆる二次元バー・コードと呼ばれるものが存在した。
【解決課題】
【０００３】  従来の二次元バー・コードでは、表示が不可能であった情報量の表示を可能にする。
【解決手段】
【０００４】  本発明は、従来の白と黒の二次元バー・コードを、三原色を用いて、ひとつの原色でひとつの二次元バー・コードに情報を表示し、尚且つ、その他の二原色で情報を表示した、二次元バー・コードを同一面に表示する事が可能（三原色の各色との重複部分は、特定可能である）となり、従来の二次元バー・コードで表示可能な情報量を、同一面積で、飛躍的に向上させることができる。
【発明の効果】
【０００５】  本発明により、従来の二次元バー・コードでは表示が不可能であった、大量の情報を表示することが可能になり、物流、販売、製造、証券等や物品等の管理など、活用可能な分野がひろがる。
【図面の簡単な説明】
【０００６】
【図１】顔料・インキ等の三原色相関図である。
【図２】光線の三原色相関図である。
【図３】顔料・インキ等による、三次元バー・コードの模式図である。
【符号の説明】
【０００７】１    白２    マゼンタ３    黄４    シアン５    赤６    緑７    青８    黒
【図１】
2008047081.tif 000003
【図２】
2008047081.tif 000004
【図３】
2008047081.tif 000005
(57)【要約】【課題】電源プラグの近傍に固定具を用いることなく、電源プラグ本体にノイズフィルタを備えた電源プラグを提供する。【解決手段】電源プラグの構成として、コードの先端の電線に圧着された刃と、スロットに刃を通された、ノイズ吸収磁性体で形成された中子と、中子を刃の間で露呈するとともに、前記中子とコードを包むように射出成形されたプラグボディと、を設ける。を有することを特徴とする【選択図】  図１
2008047379.tif 000002
【特許請求の範囲】
【請求項１】
コードの先端の電線に圧着された刃と、
スロットに前記刃を通された、ノイズ吸収磁性体で形成された中子と、
該中子を刃の間で露呈するとともに、前記中子とコードを包むように射出成形されたプラグボディと、
を有することを特徴とする電源プラグ。
【発明の詳細な説明】
【技術分野】
【０００１】
本発明は、電源プラグに関し、特に、ノイズカットを行なうノイズフィルタ（ノイズ吸収磁性体）を備えた電源プラグに関する。
【背景技術】
【０００２】
従来、ノイズフィルタは電源プラグの近傍に固定具（紐、輪ゴム、収縮チューブ、テープ等）を使って固定されている。特開平１１−２９８１８４号公報は、そのようなノイズフィルタの一例を示すものであり、リング状の磁性体（ノイズフィルタ）が電源線に通されて固定されている。
【特許文献１】特開平１１−２９８１８４号公報
【発明の開示】
【発明が解決しようとする課題】
【０００３】
固定具の使用は部品点数を増やすとともに、場合によっては邪魔なものとなる。
【０００４】
したがって、本発明の目的は、電源プラグの近傍に固定具を用いることなく、電源プラグ本体にノイズフィルタを備えた電源プラグを提供することにある。
【課題を解決するための手段】
【０００５】
本発明の電源プラグは、コードの先端の電線に圧着された刃と、スロットに前記刃を通された、ノイズ吸収磁性体で形成された中子と、該中子を刃の間で露呈するとともに、前記中子とコードを包むように射出成形されたプラグボディと、を有することを特徴とする。
【発明の効果】
【０００６】
本発明では、ノイズフィルタの機能を持つノイズ吸収磁性体を中子として用いることにより、固定具を必要としない。ノイズカット効果はノイズフィルタをできるだけ電源に近いほどその効果を得ることができるので、ノイズカットの効果を増大させることができる。また、本発明では、ノイズフィルタを中子として電源プラグの刃と刃の間で表面に露呈するように固定しているので、従来のトラッキング防止用の熱硬化性樹脂で作られていた中子よりもトラッキング現象を抑制できる。
【発明を実施するための最良の形態】
【０００７】
本発明では、電源プラグの構成として、コードの先端の電線に圧着された刃と、スロットに前記刃を通された、ノイズ吸収磁性体で形成された中子と、該中子を刃の間で露呈するとともに、前記中子とコードを包むように射出成形されたプラグボディとを設ける。
【実施例】
【０００８】
次に、本発明の実施例を図面を参照して説明する。図１は、本発明の実施例の電源プラグを示す図であり、そのうち、図１ａは、平面図であり、図１ｂは部分的に断面で示す正面図であり、図１ｃは部分的に断面で示す側面図である。
【０００９】
電源プラグ１０は、コード１２の先端の電線１４、１４に圧着部２４で圧着された刃１８、１８と、刃１８、１８をスロットに通された中子２０と、中子２０を刃１８、１８の間で露呈するとともに、中子２０とコード１２を包むように熱可塑性の塩化ビニール樹脂（ＰＶＣ）で射出成形されたプラグボディ２２とを有する。なお、射出成形の際、ジャバラ１６も一体に形成される。
【００１０】
本発明の中子２０は、絶縁体であるＮｉ系フェライトのようなノイズ吸収磁性体（ノイズフィルタ）で作られる。中子２０自体がノイズフィルタであるので、別途ノイズフィルタを電線に固定具を用いて固定する必要はない。また、中子２０が刃１８、１８の間で露呈されているので、トラッキング効果を有するものであり、電源プラグ自体にノイズ吸収磁性体（ノイズフィルタ）が設けられているので、ノイズカットの効果も増大できる。
【００１１】
なお、従来の熱硬化性樹脂と本発明のノイズ吸収磁性体を中子として用いた場合におけるトラッキングの発生の比較実験で、ノイズ吸収磁性体を用いたものの方がトラッキング防止効果が優れていることが見出されている。
【図面の簡単な説明】
【００１２】
【図１】本発明の実施例の電源プラグを示す図であり、そのうち、図１ａは、平面図であり、図１ｂは部分的に断面で示す正面図であり、図１ｃは部分的に断面で示す側面図である。
【符号の説明】
【００１３】
１０    電源プラグ
１２    コード
１４    圧着部
１６    ジャバラ
１８    刃
２０    中子（ノイズ吸収磁性体）
２２    プラグボディ
【図１】
2008047379.tif 000003
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
コード先端の電線に圧着された刃と、
スロットに前記刃を通され、ノイズ吸収磁性体で形成された中子と、
を有することを特徴とする電源プラグ。
【請求項２】
請求項１記載の電源プラグにおいて、前記中子を刃の間で露呈するとともに、前記中子と前記コードを包むように射出成形されたプラグボディをさらに有することを特徴とする電源プラグ。
【手続補正２】
【補正対象書類名】明細書
【補正対象項目名】０００５
【補正方法】変更
【補正の内容】
【０００５】
本発明の電源プラグは、コード先端の電線に圧着された刃と、スロットに前記刃を通され、ノイズ吸収磁性体で形成された中子と、を有することを特徴とする。なお、前記中子を刃の間で露呈するとともに、前記中子と前記コードを包むように射出成形されたプラグボディをさらに有することが好ましい。
【手続補正３】
【補正対象書類名】明細書
【補正対象項目名】０００７
【補正方法】変更
【補正の内容】
【０００７】
本発明の電源プラグは、コード先端の電線に圧着された刃と、スロットに前記刃を通され、ノイズ吸収磁性体で形成された中子と、を設ける。そして、前記中子を刃の間で露呈するとともに、前記中子と前記コードを包むように射出成形されたプラグボディをさらに設けることが好ましい。
(57)【要約】【課題】  本考案は、ワーク（半導体素子及び各種部品）を短時間で設定温度まで昇温させ、ワーク自身の温度を確認後、高温状態での試験・評価を可能とした装置である。【解決手段】  昇温させたいワークのみにレーザーを照射し、ワーク内のセンサー（サーミスター等）からの信号を計算し、ワークの内部温度を確認し、設定温度に達したら、レーザー照射を中止する。と同時にワークの試験・評価を実行する。又、ワーク温度の確認方法として、非接触型センサーを利用してワーク温度の確認を行うことにより、短時間でワークの高温試験・評価が可能となり、高価で大型の恒温槽を必要としなくなる。【選択図】図１
2008047845.tif 000002
【特許請求の範囲】
【請求項１】
ウエハー上にあるチップ（半導体素子）及びパッケージングされている、完成した半導体素子、及び各種部品を設定温度までレーザを照射して短時間で暖める機械装置。
【請求項２】
ワーク自身の温度確認方法は、下記の３通りである。
１．温度センサーとしてのサーミスターを半導体回路内に作り込み、温度を計測、確認する。
２．温度センサーをワーク内に設置し、温度を計測、確認する。
３．熱感知センサーでワークの温度を非接触で計測確認する。
【発明の詳細な説明】
【技術分野】
【０００１】本考案は、短時間でワークを暖め、高温状態での試験を可能にし、且つ、従来の恒温槽式高温装置を不要とする為の技術に関する。
【背景技術】
【０００２】従来用いられていた恒温槽でワークを暖める方式では、ワークが暖まる迄にある程度の時間を要し、又機構が複雑であった為、ワークの製造コストが高くなることが問題になっている。
【発明の開示】
【発明が解決しようとする課題】
【０００３】ワーク（半導体素子、各種部品））を簡便な機構、且つ短い時間に設定温度まで暖めることができる機械装置が無い為、検査・試験のコストが高くなっている。
【課題を解決するための手段】
【０００４】レーザーをワーク（半導体素子及び各種部品）部分に的を絞り照射し、設定温度まで暖める。【０００５】温度センサーをワーク内に設置する。半導体の場合はサーミスターを半導体回路に作り込み、又半導体以外のワークは温度センサーを組み付け、温度を計測、確認する。【０００６】熱感知センサーでワークの温度を外部から計測、確認する。
【発明の効果】
【０００７】ワーク（半導体素子、各種部品））を簡便な機構で短い時間に設定温度まで暖めることができ、検査・試験が可能になる為、ワークの製造コスト低減が可能となる。
【発明を実施するための最良の形態】
【０００８】（イ）暖めようとするワークのみにレーザーを照射する。
（ロ）設定温度まで上昇したら照射を中止する。
（ハ）ワークの性能を試験・評価する。
【図面の簡単な説明】
【０００９】
【図１】温度センサーとしてサーミスタや温度センサーを使用した場合の説明。
【図２】温度センサーとして非接触型温度センサーを使用した場合の説明。
【符号の説明】
【００１０】１  試験装置からのテストスタート信号がコントロールユニット経由でレーザー装置に指令を出し、ワーク（被測定物）にレーザー照射を開始する。
３  ワークの温度センサー（サーミスタ）から信号をコントロールユニットが連続判定し、設定温度に達したら、レーザー照射を中止させる。
４  同時に試験装置にテスト開始の指令を出し、ワークの試験を行い良否判定と分類信号を選別機に送信する。
〔符号の説明〕
１  試験装置からのテストスタート信号がコントロールユニット経由でレーザー装置に指令を出し、ワーク（被測定物）にレーザー照射を開始する。
３  ワークの温度は非接触型温度センサーから信号をコントロールユニットが連続判定し、設定温度に達したら、レーザー照射を中止させる。
４  同時に試験装置にテスト開始の指令を出し、ワークの試験を行い良否判定と分類信号を選別機に送信する。
【図１】
2008047845.tif 000003
【図２】
2008047845.tif 000004
(57)【要約】【課題】好適に混色でき、かつ発光効率の低下を抑制することができるフルカラーＬＥＤを提供する。【解決手段】本発明のフルカラーＬＥＤは、Ｒ、Ｇ、Ｂの３色を発光するＬＥＤチップ１が透明樹脂３に封止されており、透明樹脂３にはアルミナの粉体および窒化アルミニウムの粉体の少なくとも一方が分散して混入されている。【選択図】図１
2008047809.tif 000002
【特許請求の範囲】
【請求項１】
Ｒ、Ｇ、Ｂをそれぞれ発光する複数のＬＥＤチップと、前記ＬＥＤチップを封止する透明樹脂とを有するフルカラーＬＥＤにおいて、
前記透明樹脂に、アルミナの粉体および窒化アルミニウムの粉体の少なくとも一方が分散して混入されていることを特徴とするフルカラーＬＥＤ。
【発明の詳細な説明】
【技術分野】
【０００１】
本発明はフルカラーＬＥＤに関する。
【背景技術】
【０００２】
フルカラーＬＥＤは、一般的に、Ｒ（レッド）、Ｇ（グリーン）、Ｂ（ブルー）、その他中間色の発光ダイオード（ＬＥＤ）をひとつのパッケージ内に納め、全体を樹脂モールドした構造を有するが、光の透過率の高い透明な樹脂で封止すると、各色のＬＥＤの光が分裂してみえてしまう。このため、従来、ＬＥＤの前面に光の拡散効果のあるレンズを取付けたり、拡散シートで覆うことで、光が分裂して見えないようにしていた（例えば、特許文献１等）。しかしながら、これらの方法の場合、レンズや拡散シートから光源となるＬＥＤチップまでの距離が遠くなるため、光の分散効率が低くなってしまう。そこで、ＬＥＤを封止する透明な樹脂に拡散効果のある材料を分散混入させることで光の分離を抑制し、光の３原色を混色させ、フルカラー化する方法が考えられる。
【特許文献１】特開２００６−０８０３３４号公報
【発明の開示】
【発明が解決しようとする課題】
【０００３】
しかしながら、封止樹脂に光拡散効果の高い材料を分散混入させた場合、光量が低下してしまう場合がある。また、ＬＥＤは発光時の自己発熱による温度上昇で発光効率が低下してしまうという特性を有する。このため、拡散剤を樹脂に分散混入させると樹脂内に蓄熱されてしまいＬＥＤの発光効率が低下してしまう場合がある。
【０００４】
そこで、本発明は上記課題に鑑み、好適に混色でき、かつ発光効率の低下を抑制することができるフルカラーＬＥＤを提供することを目的とする。
【課題を解決するための手段】
【０００５】
上記目的を達成するため本発明のフルカラーＬＥＤは、Ｒ、Ｇ、Ｂをそれぞれ発光する複数のＬＥＤチップと、ＬＥＤチップを封止する透明樹脂とを有するフルカラーＬＥＤにおいて、透明樹脂に、アルミナの粉体および窒化アルミニウムの粉体の少なくとも一方が分散して混入されていることを特徴とする。
【０００６】
窒化アルミニウムの粉体やアルミナの粉体は、熱伝導率が高く、かつ透光性、反射性が高い。このような窒化アルミニウムの粉体やアルミナの粉体を透明樹脂に分散混入させることでＬＥＤチップの各色は拡散されて混色されることとなるが、窒化アルミニウムの粉体やアルミナの粉体は透光性が高いことから光量の低減を抑制することができる。また、これら粉体は熱伝導率も高いため、ＬＥＤチップの発光により生じた熱を、ＬＥＤチップが実装された基板側からだけでなく透明樹脂側からも放熱させることができる。これにより、熱によるＬＥＤの発光効率の低下を抑制することができる。
【発明の効果】
【０００７】
本発明によれば、ＬＥＤチップを封止する樹脂に、熱伝導率が高く、かつ透光性、反射性が高い窒化アルミニウムの粉体やアルミナの粉体を分散混入させているため、光量の低下を抑制しつつ好適に混色することができるとともに、高い放熱効果を得ることで、発光効率の低下も抑制することができる。
【発明を実施するための最良の形態】
【０００８】
図１に本発明のフルカラーＬＥＤパッケージの模式的な側断面図を示す。
【０００９】
本実施形態のフルカラーＬＥＤパッケージ１０は、凹断面形状のケース２と、Ｒ（レッド）、Ｇ（グリーン）、Ｂ（ブルー）の３つのＬＥＤチップ１と、ＬＥＤチップ１を封止する透明樹脂３と、透明樹脂３に混入させている拡散剤４とを有する。
【００１０】
ケース２は、一端側が開口し、他端側に底面が形成された形状を有しており、その内面はＬＥＤチップ１の光を反射させるための処理が施されている。ケース２は、例えば、高放熱材料であるアルミナ及び窒化アルミのセラミックスや、高反射材の白色アルミナ、白色窒化アルミからなるものであってもよい。
【００１１】
Ｒ（レッド）、Ｇ（グリーン）、Ｂ（ブルー）の３つのＬＥＤチップ１はケース２の底面に形成された不図示の基板上に配置されているとともに、不図示の電気接続部に対してボンディングワイヤ５により接続されている。ＬＥＤチップ１は、基板と電気接続部に電圧が印加されることによりボンディングワイヤ５を介して電流が流れ発光する。
【００１２】
これらＬＥＤチップ１が底面に配置されたケース２内に拡散剤４を分散混入させた透明樹脂３が注入されている。透明樹脂３としては、透明なエポキシ樹脂の他、固化後に透明となるシリコン樹脂を用いても良い。
【００１３】
拡散剤４は、透光性、反射性が高く、さらには熱伝導率も高い窒化アルミニウムの粉体、あるいはアルミナの粉体が用いられている。なお、拡散剤４は窒化アルミニウムの粉体のみ、アルミナの粉体のみ、あるいはこれらを混合したものであってもよい。
【００１４】
透明樹脂３のみではＲ、Ｇ、Ｂの各色が分離して見えてしまうが、本実施形態の透明樹脂３には反射性の高い拡散剤４が分散混入されているので各色が分離せず、好適に混色された色として見える。また、本実施形態の場合、透明樹脂３内に拡散効果のある拡散剤４を分散させていることで透明樹脂３の表面に拡散レンズや拡散シートを装着した従来の構成に比べて、拡散剤４と光源であるＬＥＤチップ１との距離が近接することとなり、効率よく光を分散させることができる。また、拡散剤４は透光性が高いため、光の減衰を極力抑え、発光効率の低下を抑制することができる。
【００１５】
ＬＥＤは一般に温度上昇にともなって発光効率が低下するという性質を有する。このため、発光により生じた熱を放熱する必要があるが、従来この熱は主にダイボンディングしてある基板側から放熱されていた。これに対して本実施形態の場合、熱伝導率が高い窒化アルミニウムの粉体、あるいはアルミナの粉体からなる拡散剤４が透明樹脂３に混入されているので拡散剤４により樹脂内の熱伝導が促進され、基板側のみならず樹脂側からも効率よく放熱することができる。これにより、温度上昇にともなう発光効率の低下を抑制することができる。
【００１６】
なお、拡散剤４は透明樹脂３内に均一に分散させてもよいし、あるいは、分布濃度を持たせてもよい。
【図面の簡単な説明】
【００１７】
【図１】本発明のフルカラーＬＥＤパッケージの模式的な側断面図である。
【符号の説明】
【００１８】
１    ＬＥＤチップ
２    ケース
３    透明樹脂
４    拡散剤
５    ボンディングワイヤ
【図１】
2008047809.tif 000003
(57)【要約】【課題】  水面の波紋を使い光を波形に屈折させる照明装置は多々あるが、水面が開放されているものは液体の蒸発、変質、混入異物の除去を解消するための補充や交換が必要であり、蓋をした場合は蒸発や飛沫による水滴の付着による透明性の低下などがあって性能の保持が手間であり、また、通常組み合わせる光源が限定された状態で提供されるため、設置する光源種類や場所を限定されるか手間がかかる点の改良を課題とする。【解決手段】  複数種類の液体により液の分離面での造波を確保し、一番上の液体が蓋面に接する様に液体上面の空間をなくし性能の保持を、また、光源部を内蔵しないこととで光源選択の自由度を得る。【選択図】図１
2008047502.tif 000002
【特許請求の範囲】
【請求項１】
水と油のように分離する複数種の液体を、透明な蓋と透明な底部に接するような筐体に収納した上で攪拌し、その造波された分離面を光が透過することによって、透過光を波紋状とする光フィルター装置。
【請求項２】
水と油のように分離する複数種の液体を、片方が透明で片方が鏡面の蓋と底部に接するような筐体に収納した上で攪拌し、その造波された分離面を光が二度透過することによって、透過反射光を波紋状とする光フィルター装置。
【請求項３】
請求項１，２の装置において筐体上部の接液面より上方の光の透過に影響ない位置に空気ためを用意することによって、液体の体積変化による内圧を逃がしつつ、撹拌装置と筐体壁面の波の反射から発生する不要な脈動を吸収し緩和する仕組。
【請求項４】
請求項１，２の装置において筐体全体を傾けることによって液体の移動による波を発生させる仕組。
【発明の詳細な説明】
【技術分野】
【０００１】本発明は、液体と液体の接面の屈折を利用して透過する光を波状に変換する技術に関する。
【背景技術】
【０００２】従来から液体の波面の屈折を利用した透過光を波形にすることを重点とした照明設備に関しては市販のものもあり、以下のように特許も出願されている。
【特許文献１】特許公開２００６−１８５６５１波紋投射装置  特許公開２０００−２５１５１７スペクトル照明器具  特許公開平１０−１３４６１０照明装置及び照明方法  特許公開平１１−０９６８１１室内照明設備及び室内空間構造  特許公開平１０−１３４６０９変化する照明効果を有する装飾体  特許公開平０６−１１１６０２演出用照明装置
【発明の開示】
【発明が解決しようとする課題】
【０００３】水面の波紋を使って光を波形に屈折させる照明装置は多々あるが、水面が開放されているものは液体の蒸発・変質、異物の混入などの問題を解消するための補充や交換が必要であり、液体の漏れを防ぐために取り扱いに慎重を要し、蓋をした場合は蒸発や飛沫による水滴の付着による透明性の低下などがあり、性能の保持が手間である。【０００４】また、上記に提示した特許群によれば通常組み合わせる光源の位置が固定された状態で提供されるため、設置する光源種類や場所を限定されるか手間がかかる。
【課題を解決するための手段】
【０００５】分離して層を形成する複数種類の液体により液の接触面での造波を確保し、一番上の液体が蓋面に接する様に配置することで液体上面の空間をなくし、発明が解決しようとする課題０００１を解決する。また、光源部を内蔵しないことで光源選択の自由度を上げ、発明が解決しようとする課題０００２を解決する。
【発明の効果】
【０００６】分離して層を形成する複数種類の液体により液の接触面での造波を確保できることで一番上の液体が蓋面に接する様に空間無く配置することができ、液体の蒸発による液体の減少や漏れ、異物の混入、装置内の曇り、天井面への水滴の張り付きによる透過光の固定化などを解決できる。【０００７】また、装置として光源部を内蔵しないことで光源選択と設置位置の自由度をあげられる。
【発明を実施するための最良の形態】
【０００８】５，６の上下面を透明の板か膜、もしくは片面か両面が鏡面の板か膜で蓋い、その間を分離する複数種類の液体１，２，３で満たした上、液と液の接触面に波紋を起こすように撹拌する８，９，１０，１１，１３，１９，２１などで構成される装置を図２，３，４，５の様に配置。
【図面の簡単な説明】
【０００９】
【図１】液体の循環による場合の造波方法を用いた装置を天井に設置する場合の断面図である。１〜３の液体の種類や数量は、投影される光の調整のために調整される。５と６はそれぞれ光が通る透明か鏡面の素材で出来ており、この図の場合は５、６共に透明である。１０、１１の位置は作られる波の形状を調整するために調整され、一連の造波装置は図のように一番上の液体のみの攪拌に限らない。１４の取り付け具は設置状況にあわせて変更されるが、実施に当たっては光源の熱をこもらせないために、装置と光源の間を空気が流れるように空間をあけて設置する場合もある。符号２０の空気溜めが設置される。
【図２】本体の傾斜による造波方法を用いた装置の断面図である。２１の本体角度変更装置は駆動装置を含んだ構造になっており、これで本体を傾けることによって内部の液体に波を作る。この図での取り付け具１４は可動式である。
【図３】液体の循環による造波方法を用いた装置の上面図である。９は液体の循環、攪拌のための造波装置である。
【図４】板、もしくは羽根車様回転板タイプの造波装置を用いた装置の上面図である。８は液体の循環、攪拌のための造波装置である。
【図５】圧電素子の振動を利用した造波装置を用いた装置の上面図である。１９は液体の循環、攪拌のための造波装置である。
【符号の説明】
【００１０】１液体１
２液体２
３液体３
４液体と液体の分離面
５上蓋
６底板
７筐体
８羽根車などの造波装置
９モーターなどの駆動装置
１０造波用液体噴出口
１１造波用液体吸入口
１２設置面
１３電源コード
１４取り付け具
１５外部光源
１６波
１７透過光
１８投影光
１９圧電素子
２０空気溜め
２１本体角度を変更する装置
【図１】
2008047502.tif 000003
【図２】
2008047502.tif 000004
【図３】
2008047502.tif 000005
【図４】
2008047502.tif 000006
【図５】
2008047502.tif 000007